(57)【特許請求の範囲】
【請求項１】
便器本体上面後側に背もたれ部を着脱可能に取付けた便器において、該背もたれ部は両辺部と該両辺部間に差渡される上辺部とからなるコの字状であり、該便器本体両側後部には該背もたれ部の両辺部下端を前後位置調節可能に嵌着する嵌着凹部が設けられていることを特徴とする便器の背もたれ部の取付け構造。
【請求項２】
該嵌着凹部の一方または両方の側壁には１条または複数条の縦溝または縦突条が設けられ、該背もたれ部の両辺部下端には該縦溝または縦突条に嵌合する１条または複数条の縦突条または縦溝が設けられている請求項１に記載の便器の背もたれ部の取付け構造。
【請求項３】
便器は特に携帯用便器であって、例えば合成樹脂の射出成形によって製造される請求項１または２に記載の便器の背もたれ部の取付け構造。
【発明の詳細な説明】
【０００１】
【産業上の利用分野】
本発明は着脱可能な背もたれを取付けた便器、特に携帯用便器の背もたれ部の取付け構造に関するものである。
【０００２】
【従来の技術】
従来、着座時に腰への負担を軽減させて使用感を良好にすることが出来るような便器にあっては、例えば図１３に示すように便器本体(22)の後側に背もたれ部(27)が設けられており、該背もたれ部(27)はリクライニングデバイス(30)によって起立角度が調節可能に設けられている便器が提供されている（特開平５−１３７６７０）。
【０００３】
【発明が解決しようとする課題】
上記従来の構成では、背もたれ部の前後位置を調節出来ないため、使用者の体形によって着座時の使用感が悪くなる場合もある。
【０００４】
【課題を解決するための手段】
本発明は上記従来の課題を解決するための手段として、便器(1) の背もたれ部(7) は両辺部(7A,7A) と該両辺部(7A,7A) 間に差渡される上辺部(7B)とからなるコの字状であり、便器本体(2) 両側後部には該背もたれ部(7) の両辺部(7A,7A) 下端を嵌着する嵌着凹部(10,10) が設けられている便器(1) の背もたれ部(7) の取付け構造を提供するものである。
該嵌着凹部(10,10) の一方または両方の側壁には１条または複数条の縦溝(14,14) または縦突条が設けられ、該背もたれ部(7) の両辺部(7A,7A) 下端には該縦溝(14,14) または縦突条に嵌合する１条または複数条の縦突条(12)または縦溝が設けられていることが望ましい。更に、便器(1) は特に携帯用便器であって、例えば合成樹脂の射出成形によって製造されることが望ましい。
【０００５】
【作用】
背もたれ部(7) の両辺部(7A,7A) 下端の１条または複数条の縦突条(12)または縦溝を便器本体(2) 両側後部の嵌着凹部(10,10) の一方または両方の側壁に設けられた１条または複数条の縦溝(14,14) または縦突条の一つを選んで嵌着するか、あるいは背もたれ部(7) の両辺部(7A,7A) 下端の１条または複数条の縦突条(12)または縦溝の一つを選んで便器本体(2) 両側後部の嵌着凹部(10,10) の一方または両方の側壁に設けられた１条または複数条の縦溝(14,14) または縦突条に嵌着する。
このように背もたれ部(7) 側の縦突条(12)または縦溝および／または便器本体(2) 側の縦溝(14,14) または縦突条を選んで相互嵌着することによって、便器本体(2) に背もたれ部(7) の前後位置を調節して着脱可能に取付けることが出来る。
【０００６】
【実施例】
本発明を図１〜図８に示す一実施例によって説明すれば、携帯用便器(1) は上端開口凹部(3) を有する便器本体(2) と、該便器本体(2) の上端開口凹部(3) の上端周辺に載置される便座(4) と、該便座(4) の上側から上端開口凹部(3) を覆う蓋(5) と、該便器本体(2) の上面両側に取付けられているアームレスト(6,6) と、該便器本体(2) の上面後側に取付けられているコの字状の背もたれ部(7) と、該便器本体(2) の上端開口凹部(3) に上方から懸架される把手付便受器(8) とからなる。
【０００７】
図２に示すように、該便器本体(2) の上面両側にはアームレスト取付け凹部(9,9) と、その後側に嵌着凹部(10,10) とが設けられており、該アームレスト(6,6) はその支柱(6A,6A) を該便器本体(2) のアームレスト取付け凹部(9,9) に嵌着することによって該便器本体(2) に着脱可能に取付けられ、該背もたれ部(7) は図３に示すように両辺部(7A,7A) の下端から突設される箱型根端部(11)を該便器本体(2) の嵌着凹部(10,10) に嵌着することによって該便器本体(2) に着脱可能に取付けられている。
【０００８】
即ち図３に示すように、該背もたれ部(7) の箱形根端部(11)の両側には縦突条(12)が設けられ、かつ前後に貫通する係止孔(13)が設けられ、一方便器本体(2) の嵌着凹部(10,10) の両側壁には複数条の縦溝(14,14) が設けられる。固定棒(15)は該背もたれ部(7) を固定する棒であって、該固定棒(15)の後端にはつまみ部(16)が設けられ、後寄り部分にキー(17)が設けられている。
【０００９】
図４に示すように、該背もたれ部(7) の箱形根端部(11)の縦突条(12)を該縦溝(14,14) のいずれかに嵌合し、固定棒(15)を便器本体(2) の嵌着凹部(10,10) 後面に貫通する固定棒挿入孔(18)を介して該背もたれ部(7) の箱形根端部(11)の係止孔(13)に挿通する。
【００１０】
固定棒（15) を挿通した後、図５に示すようにつまみ部(16)を回転させ、該固定棒(15)のキー(17)を便器本体(2) の固定凹部(19)内側に係合する。このようにして該背もたれ部(7) は該便器本体(2) の上面後部に前後位置調節可能かつ着脱可能に安定な状態で取付けられている。
【００１１】
上記実施例以外、図６に示すように嵌着凹部(10)の両側壁の縦溝(14,14) の下端に連通する横溝(14A) が底面に設けられてもよいし、また図７に示すように嵌着凹部(10)の底面にラック(24)を設け、背もたれ部(7) の箱形根端部(11)の底面に該ラック(24)に噛合するラック(22)を設けてもよい。また図８に示すように便器本体(2) の後壁に直接キー溝(28A) を付した固定棒挿入孔(28)を設け、更に背もたれ部(7) の箱形根端部(11)の係止孔(23)にもキー溝(23A) を付し、固定棒(25)のキー(27)を該係止孔(23)の内側に係止してもよい。また本発明では背もたれ部(7) の箱形根端部(11)側に縦溝を設け、便器本体の嵌着凹部(10)側に縦突条を設けてもよい。また縦突条を複数条、縦溝を１条設けてもよい。
【００１２】
更に便器本体(2) に嵌着凹部(10)を設けることなく背もたれ部(7) を便器本体(2) 上面に直接前後調節可能に取付けてもよい。
この場合の実施例を図９〜図１２に示す。本実施例にあっては、背もたれ部(7) の両辺部(7A,7A) の下端にアングル枠(31)を取付ける。該アングル枠(31)の側面にはキー溝(32A) を有する貫通孔(32)が複数個（２個）列設されており、それに対応して便器本体(2) の側面後上部にキー溝(33A) を有する係止孔(33)が複数個（４個）列設されている。
【００１３】
(34)は固定具であり、棒体(35)と、該棒体(35)の根端に設けられている把手部(36)と、該棒体(35)の先端に設けられているキー(37)とからなり、該背もたれ部(7) の両辺部(7A,7A) のアングル枠(31)の貫通孔(32)の個数に等しい個数（２個）準備される。
【００１４】
上記構成にあっては、背もたれ部(7) の両辺部(7A,7A) のアングル枠(31)を便器本体(2) の両側上隅角後部に当接し、該背もたれ部(7) の前後位置を所望の位置に調節して、該アングル枠(31)の２個の貫通孔(32)を該便器本体(2) の４個の係止孔(33)のいずれか２個に合わせる。
【００１５】
次いで図１２に示すように該固定具(34)のキー(37)を貫通孔(32)と係止孔(33)とに貫通させ、該固定具(34)を把手部(36)を介して例えば１８０°回して該固定具(34)のキー(37)を該係止孔(33)の内周部に係止する。
このようにして図９に示すように背もたれ部(7) を便器本体(2) に所望の前後位置で固定出来る。
【００１６】
本発明の便器(1) は特に携帯用便器であって、例えば合成樹脂の射出成形によって製造される。
【００１７】
【発明の効果】
本発明では便器に取付ける背もたれ部の前後位置を調節することが出来るので、使用者の体形によって該背もたれ部の位置を適正にして着座時に腰への負担を軽減させて使用感を良好にすることが出来る。
【図面の簡単な説明】
図１〜図８は本発明の一実施例を示すものである。
【図１】  便器斜視図
【図２】  便器本体斜視図
【図３】  背もたれ部取付け部分
【図４】  背もたれ部取付け部分説明縦断面図
【図５】  背もたれ部取付け状態側断面図
【図６】  他の実施例の嵌着凹部横断面図
【図７】  他の実施例の嵌着凹部縦断面図
【図８】  他の実施例の背もたれ部取付部分説明図
図９〜図１２には更に他の実施例を示す。
【図９】  斜視図
【図１０】  便器本体斜視図
【図１１】  背もたれ部両辺部下端取付部分説明斜視図
【図１２】  背もたれ部両辺部下端固定状態説明断面図
【図１３】  従来例の説明図
【符号の説明】
1           便器（携帯用便器）
2           便器本体
7           背もたれ部
7A          両辺部
7B          上辺部
10          嵌着凹部
12          縦突条
14          縦溝
31          アングル枠
32          貫通孔
32A         キー溝
33          係止孔
33A         キー溝
34          固定具
35          棒体
36          把手部
37          キー
【図１】
0004380888.tif 000002
【図２】
0004380888.tif 000003
【図３】
0004380888.tif 000004
【図４】
0004380888.tif 000005
【図５】
0004380888.tif 000006
【図６】
0004380888.tif 000007
【図７】
0004380888.tif 000008
【図８】
0004380888.tif 000009
【図９】
0004380888.tif 000010
【図１０】
0004380888.tif 000011
【図１１】
0004380888.tif 000012
【図１２】
0004380888.tif 000013
【図１３】
0004380888.tif 000014